(57)【要約】【課題】ルーバーからの圧迫感をなくしつつ見た目の美観性をよくすることができることを目的とする。【解決手段】吹出空気を吹出アダプター３を介して浴室へ吹出す構成であって、天井１０２の厚みに応じルーバー２を本体１の底面に設けたという構成にしたことにより、ルーバー２が天井１０２の厚みに応じて本体１の底面に取り付けられるので、ルーバー２からの圧迫感をなくしつつ見た目の美観性をよくすることができる浴室換気乾燥機を得られる。【選択図】図１
2013036710.tif 000002
【特許請求の範囲】
【請求項１】
浴室の天井の裏に配置する本体と、前記本体に浴室の空気を吸込むルーバーと、前記本体から吹出される吹出空気を吹出アダプターを介して浴室へ吹出す構成であって、前記天井の厚みに応じ前記ルーバーを前記本体の底面に設けたことを特徴とする浴室換気乾燥機。
【請求項２】
吹出アダプターを、２部品以上で伸縮自在に長さを調整できることを特徴とする請求項１に記載の浴室換気乾燥機。
【請求項３】
吹出アダプターを、ジャバラ構造としたことを特徴とする請求項１に記載の浴室換気乾燥機。
【発明の詳細な説明】
【技術分野】
【０００１】
本発明は、浴室に設置し、洗濯物を浴室に干し乾燥および換気を行ったり、脱衣室、洗面所、あるいはトイレなどのサニタリーゾンの換気も同時に行うことのできる浴室換気乾燥機に使用されるルーバーに関するものである。
【背景技術】
【０００２】
従来、この種の浴室換気乾燥機は、浴室を利用して洗濯物を乾燥する浴室換気乾燥機が知られている（例えば、特許文献１参照）。
【０００３】
以下、その浴室換気乾燥機について図３を参照しながら説明する。
【０００４】
図３に示すように、浴室の天井の裏に配置する本体１０１と、天井１０２を介して取り付けるルーバー１０３から構成され、前記ルーバー１０３には吸込グリル１０４と吹出グリル１０５をルーバー１０３の中央部に配置し、吹出グリル１０５には本体１０１から吹出した風を向けたい方向にむける風向板１０６を設け、吹出グリル１０５を９０度間隔で吹出方向を変更できる構成としたものである。
【先行技術文献】
【特許文献】
【０００５】
【特許文献１】特開２００６−２８４１１５号公報
【発明の概要】
【発明が解決しようとする課題】
【０００６】
このような従来の浴室換気乾燥機においては、吹出グリル１０５に本体１０１から吹出した風を向けたい方向にむける風向板１０６の板の長さが長くなければ、本体１０１から吹出す風を向けたい方向に風を誘導できず、結果、ルーバー１０３の厚さが厚くなり浴室からルーバー１０３からの圧迫感や見た目の美観性が悪いという課題を有していた。
【０００７】
そこで本発明は、上記従来の課題を解決するものであり、ルーバーの圧迫感をなくし、見た目の美観性をよくすることができる浴室換気乾燥機を提供することを目的とする。
【課題を解決するための手段】
【０００８】
そして、この目的を達成するために、本発明は、浴室の天井の裏に配置する本体と、前記本体に浴室の空気を吸込むルーバーと、前記本体から吹出される吹出空気を吹出アダプターを介して浴室へ吹出す構成であって、前記天井の厚みに応じ前記ルーバーを前記本体の底面に設けたこととしたものであり、これにより所期の目的を達成するものである。
【発明の効果】
【０００９】
本発明によれば、浴室の天井の裏に配置する本体と、前記本体に浴室の空気を吸込むルーバーと、前記本体から吹出される吹出空気を吹出アダプターを介して浴室へ吹出す構成であって、前記天井の厚みに応じ前記ルーバーを前記本体の底面に設けたという構成にしたことにより、ルーバーが天井の厚みに応じて本体の底面に取り付けられることとなるので、ルーバーからの圧迫感をなくしつつ見た目の美観性をよくすることができる、という効果を得ることができる。
【図面の簡単な説明】
【００１０】
【図１】本発明の実施の形態１の浴室換気乾燥機の分解斜視図
【図２】本発明の実施の形態２の浴室換気乾燥機の吹出アダプターの斜視図
【図３】従来の浴室換気乾燥機の分解斜視図
【発明を実施するための形態】
【００１１】
本発明の請求項１記載の浴室換気乾燥機は、浴室の天井の裏に配置する本体と、前記本体に浴室の空気を吸込むルーバーと、前記本体から吹出される吹出空気を吹出アダプターを介して浴室へ吹出す構成であって、前記天井の厚みに応じ前記ルーバーを前記本体の底面に設けた構成を有する。これにより、ルーバーが天井の厚みに応じて本体の底面に取り付けられることとなるので、ルーバーからの圧迫感をなくしつつ見た目の美観性をよくすることができるという効果を奏する。
【００１２】
また、吹出アダプターを２部品以上で伸縮自在に長さを調整できる構成にしてもよい。これにより、ルーバーを本体の底面に取り付けるだけで、天井の厚みの応じた長さに２部品以上の部品同士が伸縮することとなるので、天井の厚みを調整しつつルーバーからの圧迫感をなくしつつ見た目の美観性をよくすることができる、という効果を奏する。
【００１３】
また、吹出アダプターをジャバラ構造とした構成にしてもよい。これにより、ルーバーを本体の底面に取り付けるだけで、天井の厚みの応じた長さにジャバラが伸縮することとなるので、簡単な構造で天井の厚みを調整しつつルーバーからの圧迫感をなくしつつ見た目の美観性をよくすることができるという効果を奏する。
【００１４】
以下、本発明の実施の形態について図面を参照しながら説明する。
【００１５】
（実施の形態１）
図１に示すように、浴室の天井１０２の裏に浴槽の上に配置する本体１と、前記本体１に浴室の空気を吸込むルーバー２と、前記本体１から吹出される吹出空気を本体１の底面内とルーバー２との間に設けた吹出アダプター３を介して浴室へ吹出す構成である。
【００１６】
前記吹出アダプター３は、外周の長さの違う四角枠４の２部品を組み合わせ上下にスライドする四角枠４で構成され、つまり、弁当箱の上箱と下箱を組み合わせるような構成にし、さらに、吹出アダプター３内側には複数の同じ方向に向けた風向板５を設け、吹出アダプター３は前記本体１と前記ルーバー２との間に設ける。
【００１７】
また、吹出アダプター３は、９０度間隔で吹出方向を変更できる構成としたものである。
【００１８】
また、前記ルーバー２は、吹出部６と吸込部７とから構成され、ルーバー２の形状は長方形とし、短辺の中央線上の吹出アダプター３を取り付けるための四角にくり抜いた穴に吹出部６を設け、同じく中央線上の吸込部７を配置し、ルーバー２を前記本体１の底面にねじを介して天井１０２に密着させて設けた構成とする。
【００１９】
このような構成にすれば、吹出アダプター３は本体１内とルーバー２との間にあるので、吹出アダプター３の風向板５が本体１内におさまるので、ルーバー２の厚みに影響することなくルーバー２を薄くできる。
【００２０】
さらに、本体１とルーバー２との間には天井１０２があり、外周の長さの違う四角枠４を組み合わせ上下にスライドできるようにしているため、天井１０２の厚みに応じ吹出口長さを調整できる。
【００２１】
なお、外周の長さは、上下の上より下の長さが短い方がよい。
【００２２】
ルーバー２を薄くすることは、浴室内でルーバー２からの圧迫感をなくしつつ見た目の美観性をよくすることができる。
【００２３】
なお、実施の形態１において、吹出アダプター３を外周の長さの違う四角枠４の２部品を組み合わせとしたが、２部品以上で伸縮自在に長さを調整しても良い。
【００２４】
（実施の形態２）
図２において、図１と同様の構成要素については同一の符号を付し、その詳細な説明は省略する。
【００２５】
図２は、吹出アダプター３の外周をジャバラ８の構造にしたものである。
【００２６】
上記構成において、吹出アダプター３ａをジャバラ８の構造にすることで、ルーバー２を本体１の底面から押し当てるだけで、本体１とルーバー２との間でジャバラ８の構造が収縮するため、つまり電車の車両同士を連結する連結部、すなわち、山・谷を設けた伸縮の構造を用いているため、底面からルーバー２を押し上げだけで、天井１０２にルーバー２を密着させることができるので、天井１０２厚さを気にすることなく、浴室の天井１０２にルーバー２を取り付けることができる。
【００２７】
なお、ジャバラ８の材料は、耐熱性がある材料を用い、たとえば、ゴム状も伸縮自在の材料なら何でもよい。
【産業上の利用可能性】
【００２８】
本発明にかかる浴室換気乾燥機は、天井に取り付けるルーバーの圧迫感をなくしつつ見た目の美観性をよくする用途に適用できる。
【符号の説明】
【００２９】
１    本体
２    ルーバー
３    吹出アダプター
３ａ  吹出アダプター
４    四角枠
５    風向板
６    吹出部
７    吸込部
８    ジャバラ
【図１】
2013036710.tif 000003
【図２】
2013036710.tif 000004
【図３】
2013036710.tif 000005